(57)【要約】【課題】複数の周波数帯におけるアンテナと受信機間の不整合損失と通過損失の両方を低減できる無線回路を提供すること。【解決手段】アンテナと、第１及び第２の接続点の間において直列接続された第１の直列共振回路及び第１の整合回路と、第３及び第４の接続点の間において直列接続された第２の直列共振回路及び第２の整合回路と、を備え、前記アンテナと前記第１の接続点と前記第３の接続点が接続され、前記第２の接続点と前記第４の接続点が接続される。【選択図】図１
2012085092.tif 000002
【特許請求の範囲】
【請求項１】
アンテナと、
第１及び第２の接続点の間において直列接続された第１の直列共振回路及び第１の整合回路と、
第３及び第４の接続点の間において直列接続された第２の直列共振回路及び第２の整合回路と、を備え、
前記アンテナと前記第１の接続点と前記第３の接続点が接続され、
前記第２の接続点と前記第４の接続点が接続された無線装置。
【請求項２】
請求項１に記載の無線装置であって、
前記第１の直列共振回路は第１の周波数帯で共振し、
前記第１の整合回路は第１の周波数帯でインピーダンス整合し、
前記第２の直列共振回路は第２の周波数帯で共振し、
前記第２の整合回路は第２の周波数帯でインピーダンス整合する無線装置。
【請求項３】
請求項１又は請求項２に記載の無線装置であって、
受信部を備え、
前記受信部は、前記第２の接続点と前記第４の接続点に接続された無線装置。
【請求項４】
アンテナと、
第５及び第６の接続点の間において直列接続された第１の並列共振回路及び第３の整合回路と、
第７及び第８の接続点の間において直列接続された第２の並列共振回路及び第４の整合回路と、を備え、
前記アンテナと前記第５の接続点と前記第７の接続点が接続され、
前記第６の接続点と前記第８の接続点が接続された無線装置。
【請求項５】
請求項４に記載の無線装置であって、
前記第１の並列共振回路は第２の周波数帯で共振し、
前記第３の整合回路は第１の周波数帯でインピーダンス整合し、
前記第２の並列共振回路は第１の周波数帯で共振し、
前記第４の整合回路は第２の周波数帯でインピーダンス整合する無線装置。
【請求項６】
請求項４又は請求項５に記載の無線装置であって、
受信部を備え、
前記受信部は、前記第６の接続点と前記第８の接続点に接続された無線装置。
【請求項７】
アンテナと、
第９及び第１０の接続点の間において直列接続された第３の直列共振回路及び第５の整合回路と、
第１１及び第１２の接続点の間において直列接続された第３の並列共振回路及び第６の整合回路と、を備え、
前記アンテナと前記第９の接続点と前記第１１の接続点が接続され、
前記第１０の接続点と前記第１２の接続点が接続された無線装置。
【請求項８】
請求項７に記載の無線装置であって、
前記第３の直列共振回路は第１の周波数帯で共振し、
前記第５の整合回路は第１の周波数帯でインピーダンス整合し、
前記第３の並列共振回路は第１の周波数帯で共振し、
前記第６の整合回路は第２の周波数帯でインピーダンス整合する無線装置。
【請求項９】
請求項７又は請求項８に記載の無線装置であって、
受信部を備え、
前記受信部は、前記第１０の接続点と前記第１２の接続点に接続された無線装置。
【請求項１０】
アンテナと、
第１３及び第１４の接続点の間において直列接続された第４の直列共振回路及び第４の並列共振回路及び第７の整合回路と、
第１５及び第１６の接続点の間において直列接続された第５の直列共振回路及び第５の並列共振回路及び第８の整合回路と、を備え、
前記アンテナと前記第１３の接続点と前記第１５の接続点が接続され、
前記第１４の接続点と前記第１６の接続点が接続された無線装置。
【請求項１１】
請求項１０に記載の無線装置であって
前記第４の直列共振回路は第１の周波数帯で共振し、
前記第４の並列共振回路は第２の周波数帯で共振し、
前記第７の整合回路は第１の周波数帯でインピーダンス整合し、
前記第５の直列共振回路は第２の周波数帯で共振し、
前記第５の並列共振回路は第１の周波数帯で共振し、
前記第８の整合回路は第２の周波数帯でインピーダンス整合する無線装置。
【請求項１２】
請求項１０又は請求項１１に記載の無線装置であって、
受信部を備え、
前記受信部は、前記第１４の接続点と前記第１６の接続点に接続された無線装置。
【発明の詳細な説明】
【技術分野】
【０００１】
本発明は、特に複数の周波数で整合が可能となる無線回路と、当該無線回路を備える無線装置に関する。
【背景技術】
【０００２】
地上デジタル放送などのテレビジョン放送を受信する際、アンテナから効率よく電波を受信するために整合回路が必要となる。従来、地上デジタル放送はUHF帯でサービスが提供されており、整合回路はUHF帯で整合が取れるよう設計がなされてきた。
【０００３】
一方、近年、地上デジタル放送対応の携帯電話機など、テレビジョン放送を受信再生する機能を搭載した携帯端末の普及が進んでいる。また携帯端末に向けてマルチメディア放送という新しいサービスの提供が計画さている。このマルチメディア放送はVHF帯でのサービスが予定されているため、整合回路はVHF帯で整合が取れるよう設計をする必要がある。
【０００４】
ところが、携帯端末は小型であるため、VHF用とUHF用の２つのアンテナを搭載することは、スペース的に困難であるという課題がある。
【０００５】
このような課題を解決する方法は、例えば特許文献１及び特許文献２に記載されている。
【０００６】
特許文献１では、図５に示すように１つのアンテナで受信した信号を、分波器を用いてAM/FMラジオと携帯電話の２つの信号に分離している。また、特許文献１では、分波器はローパスフィルタとハイパスフィルタにより構成されている。
【０００７】
また、特許文献２では、図６に示すように１つのアンテナで受信した信号を、分波器を用いて周波数ｆ１と周波数ｆ２〜３の２つの信号に分離している。また、特許文献２では、分波器はバンドエリミネーションフィルタにより構成されている。
【先行技術文献】
【特許文献】
【０００８】
【特許文献１】特許第２７３０４８０号公報
【特許文献２】特開２０１０−１０９７５７号公報
【発明の概要】
【発明が解決しようとする課題】
【０００９】
しかしながら、特許文献１においては、整合回路が１つであるためAM/FMラジオと携帯電話の２つの周波数帯で整合をとることができず、アンテナと受信機間の不整合損失が増大するという問題がある。また、特許文献２においては、分波回路が２つのバンドエリミネーションフィルタで構成されている。ここで周波数ｆ１側に分離された周波数ｆ２〜３の信号はフィルタにより減衰され、周波数ｆ２〜３側に分離された周波数ｆ１の信号はもう一方のフィルタにより減衰される。そのため減衰された分は全て損失となってしまうため、アンテナと受信期間の通過損失が増大するという問題がある。
【００１０】
本発明の目的は、複数の周波数帯におけるアンテナと受信機間の不整合損失と通過損失の両方を低減できる無線回路を提供することである。
【課題を解決するための手段】
【００１１】
本発明の無線装置は、アンテナと、第１及び第２の接続点の間において直列接続された第１の直列共振回路及び第１の整合回路と、第３及び第４の接続点の間において直列接続された第２の直列共振回路及び第２の整合回路と、を備え、前記アンテナと前記第１の接続点と前記第３の接続点が接続され、前記第２の接続点と前記第４の接続点が接続された構成を採る。
【００１２】
この構成により、無線信号を分波して整合をとってから再度合成することにより、分波器と整合回路と合成器を１つの回路構成で実現することが出来る。
【００１３】
本発明の無線装置は、前記第１の直列共振回路は第１の周波数帯で共振し、前記第１の整合回路は第１の周波数帯でインピーダンス整合し、前記第２の直列共振回路は第２の周波数帯で共振し、前記第２の整合回路は第２の周波数帯でインピーダンス整合する構成を採る。
【００１４】
この構成により、前記第１の直列共振回路は第１の周波数帯で短絡状態となり、第１の周波数帯を効率よく通過させることができ、前記第２の直列共振回路は第２の周波数帯で短絡状態となり、第２の周波数帯を効率よく通過させることができ、第１の周波数帯と第２の周波数帯の信号を低損失で分波することができる。また前記第１の直列共振回路を通過した信号は第１の周波数帯でインピーダンス整合され、前記第２の直列共振回路を通過した信号は第２の周波数帯でインピーダンス整合され、その後２つの信号が合成されることにより、２つの周波数帯で周波数整合をとることが出来る。
本発明の無線装置は、受信部を備え、前記受信部は、前記第２の接続点と前記第４の接続点に接続された構成を採る。
この構成により、前記受信部は低損失で分波されて周波数整合されて合成された信号が入力されるので、低損失で且つ２つの周波数帯で周波数整合された信号を受信することができる。
【００１５】
本発明の無線装置は、アンテナと、第５及び第６の接続点の間において直列接続された第１の並列共振回路及び第３の整合回路と、第７及び第８の接続点の間において直列接続された第２の並列共振回路及び第４の整合回路と、を備え、前記アンテナと前記第５の接続点と前記第７の接続点が接続され、前記第６の接続点と前記第８の接続点が接続された構成を採る。
【００１６】
この構成により、無線信号を分波して整合をとってから再度合成することにより、分波器と整合回路と合成器を１つの回路構成で実現することが出来る。
【００１７】
本発明の無線装置は、前記第１の並列共振回路は第２の周波数帯で共振し、前記第３の整合回路は第１の周波数帯でインピーダンス整合し、前記第２の並列共振回路は第１の周波数帯で共振し、前記第４の整合回路は第２の周波数帯でインピーダンス整合する構成を採る。
【００１８】
この構成により、前記第１の並列共振回路は第２の周波数帯で開放状態となり、第２の周波数帯を遮断することができ、前記第２の並列共振回路は第１の周波数帯で開放状態となり、第１の周波数帯を遮断することができ、第１の周波数帯と第２の周波数帯の信号を低損失で分波することができる。また前記第１の並列共振回路を通過した信号は第１の周波数帯でインピーダンス整合され、前記第２の並列共振回路を通過した信号は第２の周波数帯でインピーダンス整合され、その後２つの信号が合成されることにより、２つの周波数帯で周波数整合をとることが出来る。
【００１９】
本発明の無線装置は、受信部を備え、前記受信部は、前記第６の接続点と前記第８の接続点に接続された構成を採る。
この構成により、前記受信部は低損失で分波されて周波数整合されて合成された信号が入力されるので、低損失で且つ２つの周波数帯で周波数整合された信号を受信することができる。
【００２０】
本発明の無線装置は、アンテナと、第９及び第１０の接続点の間において直列接続された第３の直列共振回路及び第５の整合回路と、第１１及び第１２の接続点の間において直列接続された第３の並列共振回路及び第６の整合回路と、を備え、前記アンテナと前記第９の接続点と前記第１１の接続点が接続され、前記第１０の接続点と前記第１２の接続点が接続された構成を採る。
【００２１】
この構成により、無線信号を分波して整合をとってから再度合成することにより、分波器と整合回路と合成器を１つの回路構成で実現することが出来る。
【００２２】
本発明の無線装置は、前記第３の直列共振回路は第１の周波数帯で共振し、前記第５の整合回路は第１の周波数帯でインピーダンス整合し、前記第３の並列共振回路は第１の周波数帯で共振し、前記第６の整合回路は第２の周波数帯でインピーダンス整合する構成を採る。
【００２３】
この構成により、前記第３の直列共振回路は第１の周波数帯で短絡状態となり、第１の周波数帯を効率よく通過させることができ、前記第３の並列共振回路は第１の周波数帯で開放状態となり、第１の周波数帯を遮断することができ、第１の周波数帯と第２の周波数帯の信号を低損失で分波することができる。また前記第３の直列共振回路を通過した信号は第１の周波数帯でインピーダンス整合され、前記第３の並列共振回路を通過した信号は第２の周波数帯でインピーダンス整合され、その後２つの信号が合成されることにより、２つの周波数帯で周波数整合をとることが出来る。
【００２４】
本発明の無線装置は、受信部を備え、前記受信部は、前記第１０の接続点と前記第１２の接続点に接続された構成を採る。
この構成により、前記受信部は低損失で分波されて周波数整合されて合成された信号が入力されるので、低損失で且つ２つの周波数帯で周波数整合された信号を受信することができる。
【００２５】
本発明の無線装置は、アンテナと、第１３及び第１４の接続点の間において直列接続された第４の直列共振回路及び第４の並列共振回路及び第７の整合回路と、第１５及び第１６の接続点の間において直列接続された第５の直列共振回路及び第５の並列共振回路及び第８の整合回路と、を備え、前記アンテナと前記第１３の接続点と前記第１５の接続点が接続され、前記第１４の接続点と前記第１６の接続点が接続された構成を採る。
【００２６】
この構成により、無線信号を分波して整合をとってから再度合成することにより、分波器と整合回路と合成器を１つの回路構成で実現することが出来る。
【００２７】
本発明の無線装置は、前記第４の直列共振回路は第１の周波数帯で共振し、前記第４の並列共振回路は第２の周波数帯で共振し、前記第７の整合回路は第１の周波数帯でインピーダンス整合し、前記第５の直列共振回路は第２の周波数帯で共振し、前記第５の並列共振回路は第１の周波数帯で共振し、前記第８の整合回路は第２の周波数帯でインピーダンス整合する構成を採る。
【００２８】
この構成により、前記第４の直列共振回路は第１の周波数帯で短絡状態となり、前記第４の並列共振回路は第２の周波数で開放状態となり、第１の周波数帯を効率よく通過させることができ、前記第５の直列共振回路は第２の周波数帯で短絡状態となり、前記第５の並列共振回路は第１の周波数で短絡状態となり、第２の周波数帯を効率よく通過させることができ、第１の周波数帯と第２の周波数帯の信号を低損失で分波することができる。また前記第４の直列共振回路と第４の並列共振回路を通過した信号は第１の周波数帯でインピーダンス整合され、前記第５の直列共振回路と前記第５の並列共振回路を通過した信号は第２の周波数帯でインピーダンス整合され、その後２つの信号が合成されることにより、２つの周波数帯で周波数整合をとることが出来る。
【００２９】
本発明の無線装置は、受信部を備え、前記受信部は、前記第１４の接続点と前記第１６の接続点に接続された構成を採る。
この構成により、前記受信部は低損失で分波されて周波数整合されて合成された信号が入力されるので、低損失で且つ２つの周波数帯で周波数整合された信号を受信することができる。
【発明の効果】
【００３０】
本発明によれば、複数の周波数帯におけるアンテナと受信機間の不整合損失と通過損失の両方を低減できる無線回路を提供することができる。
【図面の簡単な説明】
【００３１】
【図１】本発明の実施の形態１に係る受信装置の構成を示すブロック図
【図２】本発明の実施の形態２に係る受信装置の構成を示すブロック図
【図３】本発明の実施の形態３に係る受信装置の構成を示すブロック図
【図４】本発明の実施の形態４に係る受信装置の構成を示すブロック図
【図５】特許文献１に記載の受信装置の構成を示すブロック図
【図６】特許文献２に記載の受信装置の構成を示すブロック図
【発明を実施するための形態】
【００３２】
以下、本発明の各実施の形態について、図面を参照して詳細に説明する。
【００３３】
（実施の形態１）
図１は、本発明の実施の形態１に係る無線装置１００の構成を示すブロック図である。本実施の形態は、地上デジタル放送サービスの１つであるワンセグの受信機能と、マルチメディア放送の受信機能とを備えた携帯電話機に適用した場合を一例として説明する。
【００３４】
まず、ワンセグの概略について説明する。ワンセグは、地上デジタル放送の周波数帯域を構成する１３セグメントの１セグメントを用いた放送サービスである。放送局側は、放送番組の画像データおよび音声データを、トランスポートストリーム（transport stream：ＴＳ）に多重化する。そして、トランスポートストリームは、誤り訂正符号化を含む所定のデジタル変調が行われ、デジタル変調された信号は、所望の周波数にアップコンバートされて放送局側から送出される。
【００３５】
続いてマルチメディアの概略について説明する。マルチメディア放送はアナログテレビ放送停波後に２０７．５〜２２０MHzの周波数帯でサービス提供が予定されており、１セグメントのほか１３セグメントを用いたサービスも可能である。現在、規格が検討されている。
【００３６】
図１において、無線装置１００は、アンテナ１０１と、直列共振回路１０２と、整合回路１０３と、直列共振回路１０４と、整合回路１０５と、受信機１０６とを有する。
【００３７】
以下に、各構成について、詳細に説明する。
【００３８】
アンテナ１０１は、周波数帯ｆ１のマルチメディア放送と、周波数帯ｆ２のワンセグ放送の無線信号を受信する。
【００３９】
直列共振回路１０２は、周波数帯ｆ１で共振状態（短絡状態）となり、アンテナ１０１で受信した信号のうち周波数帯ｆ１のみを通過させ、整合回路１０３へ出力する。
【００４０】
整合回路１０３は、周波数帯ｆ１でアンテナ１０１と受信機１０６の整合をとり、信号を出力する。出力された信号は、整合回路１０５の出力信号と合成され、受信機１０６へ出力される。
【００４１】
直列共振回路１０４は、周波数帯ｆ２で共振状態（短絡状態）となり、アンテナ１０１で受信した信号のうち周波数帯ｆ２のみを通過させ、整合回路１０５へ出力する。
【００４２】
整合回路１０５は、周波数帯ｆ２でアンテナ１０１と受信機１０６の整合をとり、信号を出力する。出力された信号は、整合回路１０３の出力信号と合成され、受信機１０６へ出力される。
【００４３】
受信機１０６は、周波数帯ｆ１のマルチメディア放送の信号と、周波数帯ｆ２のワンセグ放送の信号を受信し、復調および復号処理を行う。
【００４４】
以上で、無線装置１００の構成の説明を終える。
【００４５】
次に、上記構成を有する無線装置１００の動作について説明する。
【００４６】
アンテナ１０１において、周波数帯ｆ１のマルチメディア放送と、周波数帯ｆ２のワンセグ放送の無線信号を受信する。受信された信号は、直列共振回路１０２と直列共振回路１０４へ分波される。
【００４７】
直列共振回路１０２では周波数帯ｆ１のみ通過させ、直列共振回路１０４では周波数帯ｆ２のみ通過させる。そのため従来のフィルタで構成された分波器のように信号を減衰させることが無いため、周波数帯ｆ１と周波数帯ｆ２に分波する際の損失を低減することができる。
【００４８】
直列共振回路１０２を通過した周波数帯ｆ１の信号は、整合回路１０３で周波数帯ｆ１に整合されて出力される。直列共振回路１０４を通過した周波数帯ｆ２の信号は、整合回路１０５で周波数帯ｆ２に整合されて出力される。そして整合回路１０３と整合回路１０５から出力された信号が合成され、受信機１０６へ出力される。
【００４９】
受信機１０６へ入力される信号は、周波数帯ｆ１と周波数帯ｆ２で整合がとれた信号が合成されたものなので、アンテナ１０１と受信機１０６の間の不整合損失を低減することができる。
【００５０】
このように、本実施の形態によれば、アンテナで受信した周波数帯ｆ１のマルチメディア放送の信号と、周波数帯ｆ２のワンセグ放送の信号を減衰させることなく分波するので、低損失で分波することができる。また分波した後の信号をそれぞれ周波数帯ｆ１と周波数帯ｆ２で整合した後合成するので、受信機１０６へ入力される信号は周波数帯ｆ１と周波数帯ｆ２で整合が取れており、２つの周波数帯ｆ１とｆ２におけるアンテナ１０１と受信機１０６の間の不整合損失を低減することができる。なお本実施の形態では、直列共振回路の次に整合回路を接続する順番としたが、この接続順番は不問であり、整合回路の次に直列共振回路を接続する構成でも同様の効果を得ることができる。
【００５１】
（実施の形態２）
図２は、本発明の実施の形態２に係る無線装置２００の構成を示すブロック図である。なお、本実施の形態における無線装置の構成において、図１と同一であるものについては、その説明を省略するとともに、図２の説明において、図１の符号を用いる。
【００５２】
図２において、無線装置２００は、アンテナ１０１と、並列共振回路２０１と、整合回路１０３と、並列共振回路２０２と、整合回路１０５と、受信機１０６とを有する。
【００５３】
以下に、各構成について、詳細に説明する。
【００５４】
並列共振回路２０１は、周波数帯ｆ２で共振状態（開放状態）となり、アンテナ１０１で受信した信号のうち周波数帯ｆ２のみを遮断し、整合回路１０３へ出力する。
【００５５】
並列共振回路２０２は、周波数帯ｆ１で共振状態（開放状態）となり、アンテナ１０１で受信した信号のうち周波数帯ｆ１のみを遮断し、整合回路１０５へ出力する。
【００５６】
以上で、無線装置２００の構成の説明を終える。
【００５７】
次に、上記構成を有する無線装置２００の動作について説明する。
【００５８】
アンテナ１０１において、周波数帯ｆ１のマルチメディア放送と、周波数帯ｆ２のワンセグ放送の無線信号を受信する。受信された信号は、並列共振回路２０１と並列共振回路２０２へ分波される
並列共振回路２０１では周波数帯ｆ２のみ遮断し、並列共振回路２０２では周波数帯ｆ１のみ遮断する。その結果、周波数帯ｆ１の信号は全て並列共振回路２０１を通過し、整合回路１０３へ出力される。また周波数帯ｆ２の信号は全て並列共振回路２０２を通過し、整合回路１０５へ出力される。そのため従来のフィルタで構成された分波器のように信号を減衰させることが無いため、周波数帯ｆ１と周波数帯ｆ２に分波する際の損失を低減することができる。
【００５９】
並列共振回路２０１を通過した周波数帯ｆ１の信号は、整合回路１０３で周波数帯ｆ１に整合されて出力される。並列共振回路２０２を通過した周波数帯ｆ２の信号は、整合回路１０５で周波数帯ｆ２に整合されて出力される。そして整合回路１０３と整合回路１０５から出力された信号が合成され、受信機１０６へ出力される。
【００６０】
受信機１０６へ入力される信号は、周波数帯ｆ１と周波数帯ｆ２で整合がとれた信号が合成されたものなので、アンテナ１０１と受信機１０６の間の不整合損失を低減することができる。
【００６１】
このように、本実施の形態によれば、アンテナで受信した周波数帯ｆ１のマルチメディア放送の信号と、周波数帯ｆ２のワンセグ放送の信号を減衰させることなく分波するので、低損失で分波することができる。また分波した後の信号をそれぞれ周波数帯ｆ１と周波数帯ｆ２で整合した後合成するので、受信機１０６へ入力される信号は周波数帯ｆ１と周波数帯ｆ２で整合が取れており、２つの周波数帯ｆ１とｆ２におけるアンテナ１０１と受信機１０６の間の不整合損失を低減することができる。なお本実施の形態では、並列共振回路の次に整合回路を接続する順番としたが、この接続順番は不問であり、整合回路の次に並列共振回路を接続する構成でも同様の効果を得ることができる。
【００６２】
（実施の形態３）
図３は、本発明の実施の形態３に係る無線装置３００の構成を示すブロック図である。なお、本実施の形態における無線装置の構成において、図１と図２と同一であるものについては、その説明を省略するとともに、図３の説明において、図１と図２の符号を用いる。
【００６３】
図３において、無線装置３００は、アンテナ１０１と、直列共振回路１０２と、整合回路１０３と、並列共振回路２０２と、整合回路１０５と、受信機１０６とを有する。
【００６４】
次に、上記構成を有する無線装置３００の動作について説明する。
【００６５】
アンテナ１０１において、周波数帯ｆ１のマルチメディア放送と、周波数帯ｆ２のワンセグ放送の無線信号を受信する。受信された信号は、直列共振回路１０２と並列共振回路２０２へ分波される
直列共振回路１０２では周波数帯ｆ１のみ通過させ、並列共振回路２０２では周波数帯ｆ１のみ遮断する。その結果、周波数帯ｆ１の信号は全て直列共振回路１０２を通過し、整合回路１０３へ出力される。また周波数帯ｆ２の信号は全て並列共振回路２０２を通過し、整合回路１０５へ出力される。そのため従来のフィルタで構成された分波器のように信号を減衰させることが無いため、周波数帯ｆ１と周波数帯ｆ２に分波する際の損失を低減することができる。
【００６６】
直列共振回路１０２を通過した周波数帯ｆ１の信号は、整合回路１０３で周波数帯ｆ１に整合されて出力される。並列共振回路２０２を通過した周波数帯ｆ２の信号は、整合回路１０５で周波数帯ｆ２に整合されて出力される。そして整合回路１０３と整合回路１０５から出力された信号が合成され、受信機１０６へ出力される。
【００６７】
受信機１０６へ入力される信号は、周波数帯ｆ１と周波数帯ｆ２で整合がとれた信号が合成されたものなので、アンテナ１０１と受信機１０６の間の不整合損失を低減することができる。
【００６８】
このように、本実施の形態によれば、アンテナで受信した周波数帯ｆ１のマルチメディア放送の信号と、周波数帯ｆ２のワンセグ放送の信号を減衰させることなく分波するので、低損失で分波することができる。また分波した後の信号をそれぞれ周波数帯ｆ１と周波数帯ｆ２で整合した後合成するので、受信機１０６へ入力される信号は周波数帯ｆ１と周波数帯ｆ２で整合が取れており、２つの周波数帯ｆ１とｆ２におけるアンテナ１０１と受信機１０６の間の不整合損失を低減することができる。なお本実施の形態では、直列共振回路の次に整合回路を、並列共振回路の次に整合回路を接続する順番としたが、この接続順番は不問であり、整合回路の次に直列共振回路や並列共振回路を接続する構成でも、同様の効果を得ることができる。また本実施の形態では、直列共振回路１０２を周波数帯ｆ２の並列共振回路に置き換え、並列共振回路２０２を周波数帯ｆ２の直列共振回路に置き換えた構成でも、同様の効果を得ることができる。
【００６９】
（実施の形態４）
図４は、本発明の実施の形態４に係る無線装置４００の構成を示すブロック図である。なお、本実施の形態における無線装置の構成において、図１と図２と図３と同一であるものについては、その説明を省略するとともに、図４の説明において、図１と図２と図３の符号を用いる。
【００７０】
図４において、無線装置４００は、アンテナ１０１と、直列共振回路１０２と、並列共振回路２０１と、整合回路１０３と、直列共振回路１０４と、並列共振回路２０２と、整合回路１０５と、受信機１０６とを有する。
【００７１】
次に、上記構成を有する無線装置４００の動作について説明する。
【００７２】
アンテナ１０１において、周波数帯ｆ１のマルチメディア放送と、周波数帯ｆ２のワンセグ放送の無線信号を受信する。受信された信号は、直列共振回路１０２と直列共振回路１０４へ分波される
直列共振回路１０２では周波数帯ｆ１のみ通過させ、さらに並列共振回路２０１において周波数帯ｆ２のみ遮断する。また直列共振回路１０４では周波数帯ｆ２のみ通過させ、さらに並列共振回路２０２において周波数帯ｆ１のみ遮断する。その結果、周波数帯ｆ１の信号は全て直列共振回路１０２と並列共振回路２０１を通過し、整合回路１０３へ出力される。また周波数帯ｆ２の信号は全て直列共振回路１０４と並列共振回路２０２を通過し、整合回路１０５へ出力される。そのため従来のフィルタで構成された分波器のように信号を減衰させることが無く、また直列共振回路１０２に周波数帯ｆ２の信号が入り込んでも並列共振回路２０１で遮断されるため整合回路１０３へは出力されず、また直列共振回路１０４に周波数帯ｆ１の信号が入り込んでも並列共振回路２０２で遮断されるため整合回路１０５へは出力されないため、周波数帯ｆ１と周波数帯ｆ２に分波する際の損失を低減することができる。
【００７３】
直列共振回路１０２と並列共振回路２０１を通過した周波数帯ｆ１の信号は、整合回路１０３で周波数帯ｆ１に整合されて出力される。直列共振回路１０４と並列共振回路２０２を通過した周波数帯ｆ２の信号は、整合回路１０５で周波数帯ｆ２に整合されて出力される。そして整合回路１０３と整合回路１０５から出力された信号が合成され、受信機１０６へ出力される。
【００７４】
受信機１０６へ入力される信号は、周波数帯ｆ１と周波数帯ｆ２で整合がとれた信号が合成されたものなので、アンテナ１０１と受信機１０６の間の不整合損失を低減することができる。
【００７５】
このように、本実施の形態によれば、アンテナで受信した周波数帯ｆ１のマルチメディア放送の信号と、周波数帯ｆ２のワンセグ放送の信号を減衰させることなく分波するので、低損失で分波することができる。また分波した後の信号をそれぞれ周波数帯ｆ１と周波数帯ｆ２で整合した後合成するので、受信機１０６へ入力される信号は周波数帯ｆ１と周波数帯ｆ２で整合が取れており、２つの周波数帯ｆ１とｆ２におけるアンテナ１０１と受信機１０６の間の不整合損失を低減することができる。なお本実施の形態では、直列共振回路、並列共振回路、整合回路の順番で接続したが、この接続順番は不問であり、整合回路の次に直列共振回路と並列共振回路を接続する構成でも、同様の効果を得ることができる。
【産業上の利用可能性】
【００７６】
本発明に係る無線回路は、特にアンテナと受信機間の不整合損失と通過損失の低減を図るのに好適である。
【符号の説明】
【００７７】
１００、２００、３００、４００    無線装置
１０１    アンテナ
１０２、１０４    直列共振回路
１０３、１０５    整合回路
１０６    受信機
２０１、２０２    並列共振回路
【図１】
2012085092.tif 000003
【図２】
2012085092.tif 000004
【図３】
2012085092.tif 000005
【図４】
2012085092.tif 000006
【図５】
2012085092.tif 000007
【図６】
2012085092.tif 000008